(57)【要約】【課題】画像データについてのコメントを別途入力または記入することなく当該画像データに対応させることができる画像処理装置を提供する。【解決手段】例えばＥｘｉｆファイル形式等の画像ファイルに含まれる音声ファイルに基づいて文字データを生成し、この生成された文字データｍと当該画像ファイルに含まれる画像データｐとを対応させてレイアウトしたレイアウト画像Ｌを生成して出力する。これにより、画像データｐについてのコメントを撮影時に録音しておけば、画像データｐについてのコメントである文字データｍを別途入力または記入することなく当該画像データｐに対応させることができるので、例えば工事についての報告書作成等の作業効率を向上させることができる。【選択図】        図８
2005006183.tif 000002
【特許請求の範囲】
【請求項１】
画像データ及び音声ファイルを含む画像ファイルを取得する画像ファイル取得手段と、
この画像ファイル取得手段により取得した前記画像ファイルに含まれる前記音声ファイルに基づいて文字データを生成する音声認識手段と、
この音声認識手段により生成された前記文字データと前記画像ファイル取得手段により取得した前記画像ファイルに含まれる前記画像データとをそれぞれ対応させてレイアウトしたレイアウト画像を生成するレイアウト画像生成手段と、
このレイアウト画像生成手段により生成した前記レイアウト画像を出力するレイアウト画像出力手段と、
を備える画像処理装置。
【請求項２】
前記画像ファイル取得手段は、記憶媒体に記憶されている各種データを読み取る媒体読取装置にセットされている前記記憶媒体から前記媒体読取装置を介して前記画像ファイルを読み取る、
請求項１記載の画像処理装置。
【請求項３】
前記画像ファイル取得手段は、外部機器を接続可能なインタフェースを介して接続されている前記外部機器から転送された前記画像ファイルを受け取る、
請求項１記載の画像処理装置。
【請求項４】
前記画像ファイル取得手段は、情報処理装置との間で相互にデータ通信自在な通信ネットワークを介して接続されている前記情報処理装置とのデータ通信により前記画像ファイルを受け取る、
請求項１記載の画像処理装置。
【請求項５】
前記画像ファイル取得手段は、Ｅ−ｍａｉｌの添付画像として前記画像ファイルを受け取る、
請求項１記載の画像処理装置。
【請求項６】
前記画像ファイルは、Ｅｘｉｆ（Ｅｘｃｈａｎｇｅａｂｌｅ  Ｉｍａｇｅ  Ｆｉｌｅ  Ｆｏｒｍａｔ）ファイル形式である、
請求項１ないし５の何れか一記載の画像処理装置。
【請求項７】
前記レイアウト画像出力手段は、前記レイアウト画像を添付画像としたＥ−ｍａｉｌを生成し、予め規定されたＥ−ｍａｉｌアドレスへと送信する、
請求項１ないし６の何れか一記載の画像処理装置。
【請求項８】
前記レイアウト画像出力手段は、前記レイアウト画像出力手段は、前記レイアウト画像を、相互にデータ通信自在な通信ネットワークを介して接続されている予め規定された情報処理装置の共有フォルダへと出力する、
請求項１ないし６の何れか一記載の画像処理装置。
【請求項９】
前記レイアウト画像出力手段は、前記レイアウト画像をファクシミリ画情報に変換し、予め規定されたＦＡＸ番号に対して送信する、
請求項１ないし６の何れか一記載の画像処理装置。
【請求項１０】
前記レイアウト画像出力手段は、前記レイアウト画像を所定の記憶装置に蓄積する、
請求項１ないし６の何れか一記載の画像処理装置。
【請求項１１】
前記レイアウト画像出力手段は、前記レイアウト画像を含む印刷指示を印刷装置に出力し、媒体に当該レイアウト画像を画像形成する、
請求項１ないし６の何れか一記載の画像処理装置。
【請求項１２】
コンピュータにインストールされ、
画像データ及び音声ファイルを含む画像ファイルを取得する画像ファイル取得機能と、
この画像ファイル取得機能により取得した前記画像ファイルに含まれる前記音声ファイルに基づいて文字データを生成する音声認識機能と、
この音声認識機能により生成された前記文字データと前記画像ファイル取得手段により取得した前記画像ファイルに含まれる前記画像データとをそれぞれ対応させてレイアウトしたレイアウト画像を生成するレイアウト画像生成機能と、
このレイアウト画像生成機能により生成した前記レイアウト画像を出力するレイアウト画像出力機能と、
をコンピュータに実行させるプログラム。
【請求項１３】
コンピュータにインストールされ、
画像データ及び音声ファイルを含む画像ファイルを取得する画像ファイル取得機能と、
この画像ファイル取得機能により取得した前記画像ファイルに含まれる前記音声ファイルに基づいて文字データを生成する音声認識機能と、
この音声認識機能により生成された前記文字データと前記画像ファイル取得手段により取得した前記画像ファイルに含まれる前記画像データとをそれぞれ対応させてレイアウトしたレイアウト画像を生成するレイアウト画像生成機能と、
このレイアウト画像生成機能により生成した前記レイアウト画像を出力するレイアウト画像出力機能と、
をコンピュータに実行させるプログラムを記憶した記憶媒体。
【発明の詳細な説明】
【０００１】
【発明の属する技術分野】
本発明は、コピー機能、ファクシミリ機能、プリント機能等を搭載したデジタル複合機等の画像処理装置、プログラム及び記憶媒体に関する。
【０００２】
【従来の技術】
今日、コピー機能、ファクシミリ（ＦＡＸ）機能、プリント機能及びスキャナ機能を複合したいわゆるＭＦＰ（Ｍｕｌｔｉ  Ｆｕｎｃｔｉｏｎ  Ｐｅｒｉｐｈｅｒａｌ）と称されるデジタル複合機が提供されている（例えば、特許文献１参照）。このようなデジタル複合機によれば、手書き文書や紙の資料を電子化し、ネットワークで共有・活用することが可能になっている。すなわち、このようなデジタル複合機は、ネットワーク上の一端末として位置づけられている。
【０００３】
さらに、近年においては、デジタルカメラで使用する各種メディアからダイレクトに画像を取り込むことも可能なデジタル複合機も開発されている。このようなデジタル複合機によれば、デジタルカメラで使用する各種メディアからの画像の取り込みにおいて専用ケーブルやデバイスドライバを不要としているため、使い勝手が良いものとなっている。また、このようなデジタル複合機においては、図９に示すように、デジタルカメラから取り込んだ画像ａをメモスペースｂが設けられたレイアウトに嵌め込むことにより、レイアウト画像ｃとして印刷することができるようになっている。
【０００４】
ところで、デジタルカメラ記録フォーマットとしては、Ｅｘｉｆ（Ｅｘｃｈａｎｇｅａｂｌｅ  Ｉｍａｇｅ  Ｆｉｌｅ  Ｆｏｒｍａｔ）ファイル形式が広く用いられている。このＥｘｉｆファイル形式は、撮影した画像データであるＪＰＥＧ画像、ＴＩＦＦ形式で記録されている付加情報、撮影時に録音された音声データであるＷＡＶファイルを記録することが可能なファイル形式である。
【０００５】
【特許文献１】
特開２００１−３１２３８９公報
【０００６】
【発明が解決しようとする課題】
近年においては、公共事業の生産性向上を目指して導入が進む「建設ＣＡＬＳ／ＥＣ（Ｃｏｎｔｉｎｕｏｕｓ  Ａｃｑｕｉｓｉｔｉｏｎ  ａｎｄ  Ｌｉｆｅ−ｃｙｃｌｅ  Ｓｕｐｐｏｒ）により建設業界等における情報化が一気に進展しており、工事写真を電子媒体で提出することが可能になっている。このような工事写真の電子媒体での提出の際においても、前述したようにデジタルカメラから取り込んだ画像ａを図９に示すようなメモスペースｂが設けられたレイアウトに嵌め込んだレイアウト画像ｃを出力するようにしている場合が多い。
【０００７】
ところが、前述したようにデジタルカメラから取り込んだ画像ａを図９に示すようなメモスペースｂが設けられたレイアウトに嵌め込んだレイアウト画像ｃを工事写真とするような場合には、メモスペースｂには別途コメントを入力しなければならないことから、作業効率の低下を招いている。
【０００８】
本発明の目的は、画像データについてのコメントを別途入力または記入することなく当該画像データに対応させることができる画像処理装置、プログラム及び記憶媒体を提供することである。
【０００９】
【課題を解決するための手段】
請求項１記載の発明の画像処理装置は、画像データ及び音声ファイルを含む画像ファイルを取得する画像ファイル取得手段と、この画像ファイル取得手段により取得した前記画像ファイルに含まれる前記音声ファイルに基づいて文字データを生成する音声認識手段と、この音声認識手段により生成された前記文字データと前記画像ファイル取得手段により取得した前記画像ファイルに含まれる前記画像データとをそれぞれ対応させてレイアウトしたレイアウト画像を生成するレイアウト画像生成手段と、このレイアウト画像生成手段により生成した前記レイアウト画像を出力するレイアウト画像出力手段と、を備える。
【００１０】
したがって、画像ファイルに含まれる音声ファイルに基づいて生成された文字データと当該画像ファイルに含まれる画像データとを対応させてレイアウトしたレイアウト画像が生成されて出力される。これにより、画像データについてのコメントを撮影時に録音しておけば、画像データについてのコメントを別途入力または記入することなく当該画像データに対応させることが可能になるので、例えば工事についての報告書作成等の作業効率を向上させることが可能になる。
【００１１】
請求項２記載の発明は、請求項１記載の画像処理装置において、前記画像ファイル取得手段は、記憶媒体に記憶されている各種データを読み取る媒体読取装置にセットされている前記記憶媒体から前記媒体読取装置を介して前記画像ファイルを読み取る。
【００１２】
したがって、例えばデジタルカメラで撮影した画像ファイルを記憶した記憶媒体がデジタルカメラから取り出されて媒体読取装置にセットされたことを条件として画像ファイルが読み取られるので、画像ファイルを容易に取得することが可能になっている。
【００１３】
請求項３記載の発明は、請求項１記載の画像処理装置において、前記画像ファイル取得手段は、外部機器を接続可能なインタフェースを介して接続されている前記外部機器から転送された前記画像ファイルを受け取る。
【００１４】
したがって、例えば外部機器であるデジタルカメラをＵＳＢ，ＩＥＥＥ１３９４，ＳＣＳＩ等のインタフェースを介して接続したことを条件としてデジタルカメラから画像ファイルが転送されるので、画像ファイルを容易に取得することが可能になっている。
【００１５】
請求項４記載の発明は、請求項１記載の画像処理装置において、前記画像ファイル取得手段は、情報処理装置との間で相互にデータ通信自在な通信ネットワークを介して接続されている前記情報処理装置とのデータ通信により前記画像ファイルを受け取る。
【００１６】
したがって、例えば情報処理装置であるクライアントコンピュータからＬＡＮ（Ｌｏｃａｌ  Ａｒｅａ  Ｎｅｔｗｏｒｋ）等の通信ネットワークを介して画像ファイルが送信されるので、画像ファイルを容易に取得することが可能になっている。
【００１７】
請求項５記載の発明は、請求項１記載の画像処理装置において、前記画像ファイル取得手段は、Ｅ−ｍａｉｌの添付画像として前記画像ファイルを受け取る。
【００１８】
したがって、画像ファイルがＥ−ｍａｉｌの添付画像として送信されるので、画像ファイルを容易に取得することが可能になっている。
【００１９】
請求項６記載の発明は、請求項１ないし５の何れか一記載の画像処理装置において、前記画像ファイルは、Ｅｘｉｆ（Ｅｘｃｈａｎｇｅａｂｌｅ  Ｉｍａｇｅ  Ｆｉｌｅ  Ｆｏｒｍａｔ）ファイル形式である。
【００２０】
したがって、汎用的なファイル形式が用いられることになるので、使い勝手を向上させることが可能になる。
【００２１】
請求項７記載の発明は、請求項１ないし６の何れか一記載の画像処理装置において、前記レイアウト画像出力手段は、前記レイアウト画像を添付画像としたＥ−ｍａｉｌを生成し、予め規定されたＥ−ｍａｉｌアドレスへと送信する。
【００２２】
したがって、レイアウト画像がＥ−ｍａｉｌで送信されるので、使い勝手を向上させることが可能になる。
【００２３】
請求項８記載の発明は、請求項１ないし６の何れか一記載の画像処理装置において、前記レイアウト画像出力手段は、前記レイアウト画像を、相互にデータ通信自在な通信ネットワークを介して接続されている予め規定された情報処理装置の共有フォルダへと出力する。
【００２４】
したがって、レイアウト画像が通信ネットワークを介して接続されている予め規定された情報処理装置の共有フォルダへと出力されるので、使い勝手を向上させることが可能になる。
【００２５】
請求項９記載の発明は、請求項１ないし６の何れか一記載の画像処理装置において、前記レイアウト画像出力手段は、前記レイアウト画像をファクシミリ画情報に変換し、予め規定されたＦＡＸ番号に対して送信する。
【００２６】
したがって、レイアウト画像がファクシミリ画情報として予め規定されたＦＡＸ番号に対して送信されるので、使い勝手を向上させることが可能になる。
【００２７】
請求項１０記載の発明は、請求項１ないし６の何れか一記載の画像処理装置において、前記レイアウト画像出力手段は、前記レイアウト画像を所定の記憶装置に蓄積する。
【００２８】
したがって、レイアウト画像が所定の記憶装置に蓄積されるので、使い勝手を向上させることが可能になる。
【００２９】
請求項１１記載の発明は、請求項１ないし６の何れか一記載の画像処理装置において、前記レイアウト画像出力手段は、前記レイアウト画像を含む印刷指示を印刷装置に出力し、媒体に当該レイアウト画像を画像形成して出力する。
【００３０】
したがって、レイアウト画像が印刷装置により媒体に画像形成されるので、使い勝手を向上させることが可能になる。
【００３１】
請求項１２記載の発明のプログラムは、コンピュータにインストールされ、画像データ及び音声ファイルを含む画像ファイルを取得する画像ファイル取得機能と、この画像ファイル取得機能により取得した前記画像ファイルに含まれる前記音声ファイルに基づいて文字データを生成する音声認識機能と、この音声認識機能により生成された前記文字データと前記画像ファイル取得手段により取得した前記画像ファイルに含まれる前記画像データとをそれぞれ対応させてレイアウトしたレイアウト画像を生成するレイアウト画像生成機能と、このレイアウト画像生成機能により生成した前記レイアウト画像を出力するレイアウト画像出力機能と、をコンピュータに実行させる。
【００３２】
したがって、画像ファイルに含まれる音声ファイルに基づいて生成された文字データと当該画像ファイルに含まれる画像データとを対応させてレイアウトしたレイアウト画像が生成されて出力される。これにより、画像データについてのコメントを撮影時に録音しておけば、画像データについてのコメントを別途入力または記入することなく当該画像データに対応させることが可能になるので、例えば工事についての報告書作成等の作業効率を向上させることが可能になる。
【００３３】
請求項１３記載の発明の記憶媒体は、コンピュータにインストールされ、画像データ及び音声ファイルを含む画像ファイルを取得する画像ファイル取得機能と、この画像ファイル取得機能により取得した前記画像ファイルに含まれる前記音声ファイルに基づいて文字データを生成する音声認識機能と、この音声認識機能により生成された前記文字データと前記画像ファイル取得手段により取得した前記画像ファイルに含まれる前記画像データとをそれぞれ対応させてレイアウトしたレイアウト画像を生成するレイアウト画像生成機能と、このレイアウト画像生成機能により生成した前記レイアウト画像を出力するレイアウト画像出力機能と、をコンピュータに実行させるプログラムを記憶した。
【００３４】
したがって、画像ファイルに含まれる音声ファイルに基づいて生成された文字データと当該画像ファイルに含まれる画像データとを対応させてレイアウトしたレイアウト画像が生成されて出力される。これにより、画像データについてのコメントを撮影時に録音しておけば、画像データについてのコメントを別途入力または記入することなく当該画像データに対応させることが可能になるので、例えば工事についての報告書作成等の作業効率を向上させることが可能になる。
【００３５】
【発明の実施の形態】
本発明の実施の一形態を図１ないし図８に基づいて説明する。本実施の形態は、画像処理装置として、コピー機能、ファクシミリ（ＦＡＸ）機能、プリント機能、スキャナ機能及び入力画像（スキャナ機能による読み取り原稿画像やプリンタあるいはＦＡＸ機能により入力された画像）を配信する機能等を複合したいわゆるＭＦＰ（Ｍｕｌｔｉ  Ｆｕｎｃｔｉｏｎ  Ｐｅｒｉｐｈｅｒａｌ）と称されるデジタルカラー複合機に適用した例を示す。
【００３６】
［１．デジタルカラー複合機１を含むシステムの説明］
図１は本実施の形態のデジタルカラー複合機１を含むシステム構成図である。図１に示すように、本実施の形態においては、デジタルカラー複合機１に通信ネットワークであるＬＡＮ（Ｌｏｃａｌ  Ａｒｅａ  Ｎｅｔｗｏｒｋ）２を介し、各種の情報処理を実行する情報処理装置であるサーバコンピュータ３や複数台のクライアントコンピュータ４が接続されたシステムを想定する。サーバコンピュータ３は、例えばＦＴＰ，ＨＴＴＰプロトコルをサポートしたり、Ｗｅｂサーバやメールサーバ、ＤＮＳ（ドメインネームサーバ）等の機能を実現するものである。すなわち、このシステムにおいては、デジタルカラー複合機１が備えている画像入力機能（スキャナ機能）、画像出力機能（プリント機能）及び画像蓄積機能等の画像処理機能を、ＬＡＮ２上でシェアし得る環境が構築されているものである。
【００３７】
このようなシステムは、通信制御ユニット５を介してインターネット網６に接続され、インターネット網６を介して外部環境とデータ通信可能に構築されている。通信制御ユニット５としては、ルータ、交換機、モデム、ＤＳＬモデム等が一般的であるが、最低限ＴＣＰ／ＩＰ通信が可能であれば良い。また、ＬＡＮ２は有線通信に限るものではなく、無線通信（赤外線や電波等）であっても良い。また、光ファイバーを用いたものであっても良い。
【００３８】
［２．デジタルカラー複合機１の構成についての説明］
次に、デジタルカラー複合機１について説明する。ここで、図２はデジタルカラー複合機１を概略的に示す外観斜視図、図３はデジタルカラー複合機１の各部の電気的接続を示すブロック図である。図２に示すように、デジタルカラー複合機１は、転写紙などの媒体に画像を形成する画像形成手段である印刷装置７の上部に、原稿から画像を読み取る画像読取手段である画像読取装置８を配設した構成とされている。また、画像読取装置８の装置外面には、オペレータに対する表示とオペレータからの機能設定等の各種の入力を許容する操作パネルＰが設けられている。さらに、操作パネルＰの下部には、記憶媒体Ｍ（図３参照）に記憶されているプログラムコードや画像ファイル等を読み取る、または記憶媒体Ｍに対してプログラムコードや画像ファイル等を書き込む装置である外部メディア入出力装置９が、記憶媒体Ｍの挿入を許容する挿入口を外部に露出させて設けられている。
【００３９】
このようなデジタルカラー複合機１のストラクチャとしては、図３に示すように、画像処理ユニット部Ａと情報処理ユニット部Ｂとに大別されており、印刷装置７及び画像読取装置８は画像処理ユニット部Ａに属し、操作パネルＰ及び外部メディア入出力装置９は情報処理ユニット部Ｂに属している。
【００４０】
［２−１．画像処理ユニット部Ａについての説明］
まず、画像処理ユニット部Ａについて説明する。印刷装置７及び画像読取装置８を備える画像処理ユニット部Ａは、画像処理ユニット部Ａにおける画像処理全般の制御を行う画像処理制御ユニット１０を備えており、この画像処理制御ユニット１０には、印刷装置７を制御する印刷制御ユニット１１と、画像読取装置８を制御する画像読取制御ユニット１２とが接続されている。
【００４１】
印刷制御ユニット１１は、画像処理制御ユニット１０の制御に従って印刷装置７に対して画像データを含む印刷指示を出力し、印刷装置７に転写紙などの媒体に画像を形成して出力させる。印刷装置７はフルカラー印刷可能とされており、その印刷方式は、電子写真方式のほか、インクジェット方式、昇華型熱転写方式、銀塩写真方式、直接感熱記録方式、溶融型熱転写方式など、さまざまな方式を用いることができる。
【００４２】
画像読取制御ユニット１２は、画像処理制御ユニット１０の制御により画像読取装置８を駆動し、原稿の表面に対するランプ照射の反射光をミラー及びレンズにより受光素子（例えば、ＣＣＤ（Ｃｈａｒｇｅ  Ｃｏｕｐｌｅｄ  Ｄｅｖｉｃｅ））に集光して読み取り、Ａ／Ｄ変換してＲＧＢ各８ｂｉｔのデジタル画像データを生成する。
【００４３】
このような画像処理制御ユニット１０は、メインプロセッサであるＣＰＵ（Ｃｅｎｔｒａｌ  Ｐｒｏｃｅｓｓｉｎｇ  Ｕｎｉｔ）１３と、画像読取装置８から読み込んだ画像データを印刷装置７による作像に供すべく一旦格納しておくメモリデバイス（例えば、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）等）１４と、制御プログラム等を記憶したＲＯＭ（Ｒｅａｄ  Ｏｎｌｙ  Ｍｅｍｏｒｙ）１５と、システムログ／システム設定／ログ情報等を記録しておく電源ＯＦＦ時にもデータの保持が可能なＮＶＲＡＭ１６と、をバス接続したマイクロコンピュータ構成とされている。
【００４４】
また、画像処理制御ユニット１０には、多量の画像データの蓄積やジョブ履歴等の記憶装置となるＨＤＤ（Ｈａｒｄ  Ｄｉｓｋ  Ｄｒｉｖｅ）１７、装置内部に設けられた集線装置であるＨＵＢ１９を介して画像処理ユニット部ＡをＬＡＮ２に接続するためのＬＡＮ制御部１８、ＦＡＸ制御を行うＦＡＸ制御ユニット２０が接続されている。このＦＡＸ制御ユニット２０は、公衆電話網２１に通じる構内交換器（ＰＢＸ）２２に接続されており、デジタルカラー複合機１は、遠隔のファクシミリと交信することができる。
【００４５】
加えて、画像処理制御ユニット１０には、表示制御ユニット２３及び操作入力制御ユニット２４が接続されている。表示制御ユニット２３は、画像処理制御ユニット１０のコントロールによって制御パネルＩ／Ｆ２５に接続された通信ケーブル２６を介して情報処理ユニット部Ｂに対して画像表示制御信号を出力し、情報処理ユニット部Ｂの操作パネルＰに対して画像表示の制御を行う。また、操作入力制御ユニット２４は、情報処理ユニット部Ｂの操作パネルＰからのオペレータによる機能設定や入力操作に応じた入力制御信号を、画像処理制御ユニット１０のコントロールによって制御パネルＩ／Ｆ２５に接続された通信ケーブル２６を介して入力する。すなわち、画像処理ユニット部Ａは、情報処理ユニット部Ｂの操作パネルＰを通信ケーブル２６を介して直接モニタすることができる構成になっている。
【００４６】
したがって、画像処理ユニット部Ａは、従来の画像処理装置が備える画像処理ユニットに対して通信ケーブル２６を接続し、情報処理ユニット部Ｂの操作パネルＰを利用するようにしたものである。すなわち、画像処理ユニット部Ａの表示制御ユニット２３及び操作入力制御ユニット２４は、操作パネルＰに接続されているものとして動作している。
【００４７】
このような構成により、画像処理ユニット部Ａは、外部（サーバコンピュータ３、クライアントコンピュータ４、ファクシミリ等）からの画像情報である印刷データ及びプリント指示するコマンドを解析し、印刷データを出力画像データとして印刷できる状態にビットマップ展開し、印刷モードをコマンドから解析し動作を決定している。その印刷データ及びコマンドをＬＡＮ制御部１８あるいはＦＡＸ制御ユニット２０を通じて受信し動作する。
【００４８】
また、画像処理ユニット部Ａは、ＳＤＲＡＭ１４やＨＤＤ１７に記憶されている印刷データ、原稿読取りデータ、これらを出力用に処理した出力画像データ、および、それらを圧縮した圧縮データを外部（サーバコンピュータ３、クライアントコンピュータ４、ファクシミリ等）に転送することができる。
【００４９】
さらに、画像処理ユニット部Ａは、画像読取装置８の読取り画像データを画像処理制御ユニット１０に転送し、光学系及びデジタル信号への量子化に伴う信号劣化を補正し、該画像データをＳＤＲＡＭ１４に書込む。このようにしてＳＤＲＡＭ１４に格納された画像データは、印刷制御ユニット１１で出力画像データに変換されて、印刷装置７に出力される。
【００５０】
［２−２．情報処理ユニット部Ｂについての説明］
次に、操作パネルＰを備える情報処理ユニット部Ｂについて説明する。情報処理ユニット部Ｂは、一般にパーソナルコンピュータといわれるような情報処理装置に用いられる汎用のＯＳ（Ｏｐｅｒａｔｉｎｇ  Ｓｙｓｔｅｍ）によって制御されるマイクロコンピュータ構成とされている。情報処理ユニット部Ｂは、メインプロセッサであるＣＰＵ３１を有しており、このＣＰＵ３１には、ＣＰＵ３１の作業用領域となるＲＡＭや起動プログラムなどを記憶した読出し専用メモリであるＲＯＭで構成されるメモリユニット３２と、ＯＳ（Ｏｐｅｒａｔｉｎｇ  Ｓｙｓｔｅｍ）やアプリケーションプログラムを記憶するＨＤＤ等の記憶装置３４に対するデータの入出力を制御する記憶装置制御ユニット３５とが、バス接続されている。
【００５１】
また、ＣＰＵ３１には、情報処理ユニット部ＢをＨＵＢ１９を介してＬＡＮ２に接続するためのＬＡＮ制御部３３が接続されている。このＬＡＮ制御部３３に割り当てられるネットワークアドレスであるＩＰアドレスは、前述した画像処理ユニット部ＡのＬＡＮ制御部１８に割り当てられるＩＰアドレスとは異なるものである。すなわち、本実施の形態のデジタルカラー複合機１には、２つのＩＰアドレスが割り当てられていることになる。つまり、画像処理ユニット部Ａと情報処理ユニット部ＢとはＬＡＮ２に接続されていることになり、画像処理ユニット部Ａと情報処理ユニット部Ｂとの間においてはデータ交換が可能な構成になっている。
【００５２】
なお、デジタルカラー複合機１はＨＵＢ１９を介してＬＡＮ２に接続されていることから、見かけ上は、１つのＩＰアドレスのみが割り当てられているように見える。したがって、美観を損ねることはなく、結線等の取り扱いを容易にすることが可能になっている。
【００５３】
さらに、ＣＰＵ３１には、操作パネルＰを制御する表示制御ユニット３６及び操作入力制御ユニット３７が接続されている。ここで、図４は操作パネルＰの構成を示す平面図である。図４に示すように、操作パネルＰは、例えばＬＣＤ（Ｌｉｑｕｉｄ  Ｃｒｙｓｔａｌ  Ｄｉｓｐｌａｙ）である表示装置４０と、操作入力装置４１とで構成されている。操作入力装置４１は、表示装置４０の表面に積層された超音波弾性波方式等のタッチパネル４１ａと、複数のキーを有するキーボード４１ｂとで構成されている。キーボード４１ｂには、画像読み取りの開始を宣言するためのスタートキー、数値入力を行うためのテンキー、読み取った画像データの送信先を設定する読取条件設定キー、クリアキー等が設けられている。すなわち、表示制御ユニット３６は、画像表示制御信号を制御パネルＩ／Ｆ３８を介して表示装置４０に出力し、画像表示制御信号に応じた所定事項を表示装置４０に表示させる。一方、操作入力制御ユニット３７は、操作入力装置４１におけるオペレータによる機能設定や入力操作に応じた入力制御信号を、制御パネルＩ／Ｆ３８を介して受信する。
【００５４】
加えて、ＣＰＵ３１には、画像処理ユニット部Ａの制御パネルＩ／Ｆ２５と通信ケーブル２６を介して接続されている制御パネル通信ユニット３９が接続されている。制御パネル通信ユニット３９は、画像処理ユニット部Ａから出力された画像表示制御信号を受信し、また、操作パネルＰからのオペレータによる機能設定や入力操作に応じた入力制御信号を画像処理ユニット部Ａに転送する。より詳細には、制御パネル通信ユニット３９で受信した画像処理ユニット部Ａからの画像表示制御信号は操作パネルＰの表示装置４０用にデータ変換処理されてから表示制御ユニット３６に出力され、また、操作パネルＰからのオペレータによる機能設定や入力操作に応じた入力制御信号は画像処理ユニット部Ａでの仕様に応じた形式にデータ変換処理されてから制御パネル通信ユニット３９に入力される。
【００５５】
上述したように記憶装置３４には、ＣＰＵ３１が実行するＯＳ（Ｏｐｅｒａｔｉｎｇ  Ｓｙｓｔｅｍ）やアプリケーションプログラムが格納されている。この意味で、記憶装置３４は、アプリケーションプログラムを記憶する記憶媒体として機能する。このデジタルカラー複合機１では、ユーザが電源を投入するとＣＰＵ３１がメモリユニット３２内の起動プログラムを起動させ、記憶装置３４よりＯＳをメモリユニット３２内のＲＡＭに読み込み、このＯＳを起動させる。このようなＯＳは、ユーザの操作に応じてプログラムを起動したり、情報を読み込んだり、保存を行ったりする。ＯＳのうち代表的なものとしては、Ｗｉｎｄｏｗｓ（登録商標）等が知られている。これらのＯＳ上で走る動作プログラムをアプリケーションプログラムと呼んでいる。情報処理ユニット部ＢのＯＳは、情報処理装置（サーバコンピュータ３やクライアントコンピュータ４等）と同様のＯＳ、すなわち汎用のＯＳ（例えば、Ｗｉｎｄｏｗｓ（登録商標）等）とされている。
【００５６】
なお、前述したように、本実施の形態のデジタルカラー複合機１には、ＯＳ、デバイスドライバや各種アプリケーションプログラム等の各種のプログラムコード（制御プログラム）や画像ファイル等を記憶した記憶媒体Ｍ、すなわち、フレキシブルディスク（ＦＤ）、ハードディスク、光ディスク（ＣＤ−ＲＯＭ，ＣＤ−Ｒ，ＣＤ−ＲＷ，ＤＶＤ−ＲＯＭ，ＤＶＤ−ＲＡＭ，ＤＶＤ−Ｒ，ＤＶＤ＋Ｒ，ＤＶＤ−ＲＷ，ＤＶＤ＋ＲＷなど）、光磁気ディスク（ＭＯ）、半導体メディアなどの記憶媒体Ｍに記憶されているプログラムコードや画像ファイル等を読み取る、または記憶媒体Ｍに対してプログラムコードや画像ファイル等を書き込む装置であるフレキシブルディスクドライブ装置、光ディスクドライブ装置、ＭＯドライブ装置、メディアドライブ装置等の外部メディア入出力装置９が搭載されている。このような外部メディア入出力装置９は、媒体読取装置として機能するものであって、ＣＰＵ３１にバス接続されている入出力デバイス制御ユニット４２により制御される。
【００５７】
したがって、記憶装置３４に記憶されているアプリケーションプログラムは、この記憶媒体Ｍに記録されたアプリケーションプログラムがインストールされたものであっても良い。このため、記憶媒体Ｍも、アプリケーションプログラムを記憶する記憶媒体となり得る。さらには、アプリケーションプログラムは、例えばインターネット網６及びＬＡＮ２を介して外部から取り込まれ、記憶装置３４にインストールされても良い。
【００５８】
なお、入出力デバイス制御ユニット４２には、ＵＳＢ，ＩＥＥＥ１３９４，ＳＣＳＩ等の各種インタフェース４３も接続されており、各種インタフェース４３を介して様々な外部機器（デジタルカメラ等）が接続可能とされている。
【００５９】
また、このような情報処理ユニット部Ｂは、ＬＡＮ２を介してメールサーバやＤＮＳ（ドメインネームサーバ）等の機能を実現するサーバコンピュータ３に接続されているとともに、通信制御ユニット５を介してインターネット網６に接続されている。したがって、アプリケーションプログラムであるメールソフトが記憶装置３４にインストールされているとともに、情報処理ユニット部Ｂにメールアカウント（メールアドレス）が付与されていることを条件として、情報処理ユニット部ＢにおいてＥ−ｍａｉｌの送受信が可能となっている。
【００６０】
［３．デジタルカラー複合機１が備える特長的な機能の説明］
次に、デジタルカラー複合機１が備える特長的な機能について説明する。デジタルカラー複合機１の画像処理ユニット部Ａが備える機能は、従来のデジタルカラー複合機が備える機能と何ら変わるものではないので、その説明は省略する。ここでは、デジタルカラー複合機１の情報処理ユニット部ＢのＣＰＵ３１がＯＳ上で動作するアプリケーションプログラムに従い実行する各種の演算処理のうち、本実施の形態の特長的な処理について以下に説明する。
【００６１】
［３−１．音声認識表示処理］
デジタルカラー複合機１の情報処理ユニット部ＢのＣＰＵ３１が実行する音声認識表示処理について説明する。ここで、図５は音声認識表示処理の際の操作パネルＰの表示装置４０に表示される画面の遷移を示した説明図、図６は音声認識表示処理の流れを示すフローチャートである。図５に示すように、情報処理ユニット部ＢのＣＰＵ３１は、まず、操作パネルＰの表示装置４０に画面Ｐ１を表示する。画面Ｐ１は、メニュー画面である。
【００６２】
このように表示装置４０に画面Ｐ１が表示されている状態で、画面Ｐ１に表示された「メディア画像」ボタンがタッチパネル４１ａを介して選択されると（ステップＳ１のＹ）、外部メディア入出力装置９に記憶媒体Ｍ（ここではＦＤとする）がセットされていることを条件として（ステップＳ２のＹ）、操作パネルＰの表示装置４０に画面Ｐ２を表示する（ステップＳ３）。
【００６３】
画面Ｐ２は、画像処理選択ページである。画面Ｐ２には、各種の画像処理項目が一覧表示される。ここで、画面Ｐ２に表示された「音声認識」ボタンがタッチパネル４１ａを介して選択されると（ステップＳ４のＹ）、情報処理ユニット部ＢのＣＰＵ３１は、外部メディア入出力装置９で読み取った記憶媒体Ｍに記憶されている画像ファイルを受け取る（ステップＳ５：画像ファイル取得手段）。
【００６４】
ここで、記憶媒体Ｍに記憶されている画像ファイルは、Ｅｘｉｆ（Ｅｘｃｈａｎｇｅａｂｌｅ  Ｉｍａｇｅ  Ｆｉｌｅ  Ｆｏｒｍａｔ）ファイル形式である。このＥｘｉｆファイル形式は、図７に示すように、撮影した画像データであるＪＰＥＧ画像、ＴＩＦＦ形式で記録されている付加情報、撮影時に録音された音声データであるＷＡＶファイルを記録することが可能なファイル形式である。なお、付加情報として記録されるデータとしては、デジタルカメラのメーカー名・機種名・デジタルカメラソフトのバージョン・露出プログラムモード・測光モード・絞り値・開放絞り値・シャッタ−速度・焦点距離・合焦距離・露出補正値・ＩＳＯ感度値・日時・光源判別・ストロボの使用・サムネイル画像などのデータがある。
【００６５】
このようにして記憶媒体Ｍに記憶されている画像ファイル（Ｅｘｉｆファイル）を受け取ると、操作パネルＰの表示装置４０に画面Ｐ３を表示する（ステップＳ６）。
【００６６】
画面Ｐ３は、画像選択ページである。画面Ｐ３には、受け取った画像ファイル（Ｅｘｉｆファイル）中の画像（サムネイル画像）Ｐが一覧表示される。ここで、画面Ｐ３に表示された「画像」Ｐがタッチパネル４１ａを介して選択され、画面Ｐ３に表示された「次へ」ボタンＢ１がタッチパネル４１ａを介して押下されると（ステップＳ７のＹ）、情報処理ユニット部ＢのＣＰＵ３１は、選択された「画像」Ｐの画像ファイル（Ｅｘｉｆファイル）に含まれるＪＰＥＧ画像及びＷＡＶファイルに基づいて所定のレイアウト画像を生成し（ステップＳ８）、操作パネルＰの表示装置４０に画面Ｐ４を表示する（ステップＳ９）。
【００６７】
画面Ｐ４は、レイアウト画像表示ページである。画面Ｐ４には、ステップＳ８で生成されたレイアウト画像Ｌが縮小されて表示される。ここに、レイアウト画像生成手段の機能が実行される。ここで、図８はレイアウト画像Ｌの一例を示す平面図である。図８に示すように、レイアウト画像Ｌには、画像データｐが嵌め込まれた画像欄及び文字データｍが表示されたメモ欄が、選択された「画像」毎に設けられている。なお、本実施の形態においては、３つの「画像」を１つのレイアウト画像Ｌとして表示するようにしたが、これに限るものではなく、１つの「画像」を１つのレイアウト画像Ｌに表示するようにしても良い。このようなレイアウト画像Ｌの添付画像欄には、選択された「画像」の画像ファイル（Ｅｘｉｆファイル）に含まれるＪＰＥＧ画像が画像データｐとして嵌め込まれる。一方、メモ欄には、選択された「画像」の画像ファイル（Ｅｘｉｆファイル）に含まれるＷＡＶファイル（音声データ）に対して音声認識処理を施した文字データｍが表示される。音声認識処理については、各種の処理方法を用いることが可能である。例えば、特開平６−１３０９８６号公報に記載されているような手法を用いることが可能である。ここに、音声認識手段の機能が実行される。なお、画面Ｐ４には、「キーボード入力」ボタンＢ２が表示されており、この「キーボード入力」ボタンＢ２をタッチパネル４１ａを介して押下するとキーボード入力画面（図示せず）に画面が遷移し、音声認識処理により変換されたメモ欄の文字データｍを訂正し、または、新たな文字データｍをメモ欄に追加することができる。なお、音声認識処理を施した文字データｍが１頁に収まらない場合には、次頁に続きが入力される。
【００６８】
また、画面Ｐ４には、レイアウト画像Ｌの出力先（メール送信、共有フォルダ送信、ＦＡＸ送信、蓄積、印刷）を選択するためのボタンＢ３も表示される。ここで、画面Ｐ４に表示されたレイアウト画像Ｌの出力先（メール送信、共有フォルダ送信、ＦＡＸ送信、蓄積、印刷）を選択するためのボタンＢ３の何れかがタッチパネル４１ａを介して選択されると（ステップＳ１０のＹ）、情報処理ユニット部ＢのＣＰＵ３１は、レイアウト画像Ｌの出力先を設定し（ステップＳ１１）、キーボード４１ｂのスタートキーの押下に待機する（ステップＳ１２）。
【００６９】
そして、キーボード４１ｂのスタートキーが押下された場合には（ステップＳ１２のＹ）、情報処理ユニット部ＢのＣＰＵ３１は、レイアウト画像Ｌを選択された出力先に応じて出力する（ステップＳ１３：レイアウト画像出力手段）。
【００７０】
出力先として「メール送信」が選択されている場合には、レイアウト画像Ｌを添付画像としたＥ−ｍａｉｌを生成し、通信制御ユニット５及びインターネット網６を介して予め規定されたＥ−ｍａｉｌアドレスへと送信する。
【００７１】
出力先として「共有フォルダ送信」が選択されている場合には、レイアウト画像Ｌを、予め規定されたサーバコンピュータ３やクライアントコンピュータ４の共有フォルダへとＬＡＮ２を介して出力する。
【００７２】
出力先として「ＦＡＸ送信」が選択されている場合には、レイアウト画像Ｌをファクシミリ画情報に変換し、予め規定されたＦＡＸ番号とともに画像処理ユニット部Ａに対して出力する。そして、画像処理ユニット部Ａは、ファクシミリ画情報をＦＡＸ番号とともに受け取ると、ＦＡＸ制御ユニット２０を介して遠隔のファクシミリに対してレイアウト画像Ｌを変換したファクシミリ画情報を送信する。
【００７３】
出力先として「蓄積」が選択されている場合には、例えば情報処理ユニット部Ｂの記憶装置３４にレイアウト画像Ｌを蓄積する。
【００７４】
出力先として「印刷」が選択されている場合には、画像処理ユニット部Ａに対してレイアウト画像Ｌを含む印刷指示を出力する。そして、画像処理ユニット部Ａは、レイアウト画像Ｌを含む印刷指示を受け取ると、印刷装置７において転写紙などの媒体にレイアウト画像Ｌを形成して出力する。
【００７５】
このように本実施の形態によれば、画像ファイルに含まれる音声ファイルに基づいて生成された文字データと当該画像ファイルに含まれる画像データとを対応させてレイアウトしたレイアウト画像Ｌが生成されて出力される。これにより、画像データについてのコメントを撮影時に録音しておけば、画像データについてのコメントを別途入力または記入することなく当該画像データに対応させることが可能になるので、例えば工事についての報告書作成等の作業効率を向上させることが可能になる。
【００７６】
なお、本実施の形態においては、記憶媒体Ｍに記憶されている画像ファイル（Ｅｘｉｆファイル）を外部メディア入出力装置９で読み取って音声認識表示処理を行うようにしたが、これに限るものではない。例えば、画像ファイル（Ｅｘｉｆファイル）をＵＳＢ，ＩＥＥＥ１３９４，ＳＣＳＩ等の各種インタフェース４３に接続された機器（デジタルカメラ等）から取得するようにしても良いし、画像ファイル（Ｅｘｉｆファイル）をＬＡＮ２を介してサーバコンピュータ３やクライアントコンピュータ４から取得するようにしても良いし、Ｅ−ｍａｉｌの添付画像として画像ファイル（Ｅｘｉｆファイル）を取得するようにしても良い。
【００７７】
また、本実施の形態においては、画像処理装置としていわゆるＭＦＰと称されるデジタルカラー複合機の適用例を示したが、これに限るものではなく、サーバコンピュータ３やクライアントコンピュータ４とＬＡＮ２を介して接続され、画像データに基づいた画像を媒体に形成して出力する画像形成手段（印刷装置７）又は原稿画像を読み取る画像読取手段（画像読取装置８）の少なくとも一方を有する画像処理装置であれば良い。例えば、デジタルモノクロ複合機、モノクロ複写機、カラー複写機、スキャナ装置、モノクロプリンタ装置、カラープリンタ装置等に適用しても良い。
【００７８】
【発明の効果】
請求項１記載の発明の画像処理装置によれば、画像データ及び音声ファイルを含む画像ファイルを取得する画像ファイル取得手段と、この画像ファイル取得手段により取得した前記画像ファイルに含まれる前記音声ファイルに基づいて文字データを生成する音声認識手段と、この音声認識手段により生成された前記文字データと前記画像ファイル取得手段により取得した前記画像ファイルに含まれる前記画像データとをそれぞれ対応させてレイアウトしたレイアウト画像を生成するレイアウト画像生成手段と、このレイアウト画像生成手段により生成した前記レイアウト画像を出力するレイアウト画像出力手段と、を備え、画像ファイルに含まれる音声ファイルに基づいて生成された文字データと当該画像ファイルに含まれる画像データとを対応させてレイアウトしたレイアウト画像を生成して出力することにより、画像データについてのコメントを撮影時に録音しておけば、画像データについてのコメントを別途入力または記入することなく当該画像データに対応させることができるので、例えば工事についての報告書作成等の作業効率を向上させることができる。
【００７９】
請求項２記載の発明によれば、請求項１記載の画像処理装置において、前記画像ファイル取得手段は、記憶媒体に記憶されている各種データを読み取る媒体読取装置にセットされている前記記憶媒体から前記媒体読取装置を介して前記画像ファイルを読み取ることにより、例えばデジタルカメラで撮影した画像ファイルを記憶した記憶媒体がデジタルカメラから取り出されて媒体読取装置にセットされたことを条件として画像ファイルを読み取るので、画像ファイルを容易に取得することができる。
【００８０】
請求項３記載の発明によれば、請求項１記載の画像処理装置において、前記画像ファイル取得手段は、外部機器を接続可能なインタフェースを介して接続されている前記外部機器から転送された前記画像ファイルを受け取ることにより、例えば外部機器であるデジタルカメラをＵＳＢ，ＩＥＥＥ１３９４，ＳＣＳＩ等のインタフェースを介して接続したことを条件としてデジタルカメラから画像ファイルを転送するので、画像ファイルを容易に取得することができる。
【００８１】
請求項４記載の発明によれば、請求項１記載の画像処理装置において、前記画像ファイル取得手段は、情報処理装置との間で相互にデータ通信自在な通信ネットワークを介して接続されている前記情報処理装置とのデータ通信により前記画像ファイルを受け取ることにより、例えば情報処理装置であるクライアントコンピュータからＬＡＮ等の通信ネットワークを介して画像ファイルを送信するので、画像ファイルを容易に取得することができる。
【００８２】
請求項５記載の発明によれば、請求項１記載の画像処理装置において、前記画像ファイル取得手段は、Ｅ−ｍａｉｌの添付画像として前記画像ファイルを受け取ることにより、画像ファイルを容易に取得することができる。
【００８３】
請求項６記載の発明によれば、請求項１ないし５の何れか一記載の画像処理装置において、前記画像ファイルは、Ｅｘｉｆ（Ｅｘｃｈａｎｇｅａｂｌｅ  Ｉｍａｇｅ  Ｆｉｌｅ  Ｆｏｒｍａｔ）ファイル形式であることにより、汎用的なファイル形式が用いられることになるので、使い勝手を向上させることができる。
【００８４】
請求項７記載の発明によれば、請求項１ないし６の何れか一記載の画像処理装置において、前記レイアウト画像出力手段は、前記レイアウト画像を添付画像としたＥ−ｍａｉｌを生成し、予め規定されたＥ−ｍａｉｌアドレスへと送信することにより、使い勝手を向上させることができる。
【００８５】
請求項８記載の発明によれば、請求項１ないし６の何れか一記載の画像処理装置において、前記レイアウト画像出力手段は、前記レイアウト画像を、相互にデータ通信自在な通信ネットワークを介して接続されている予め規定された情報処理装置の共有フォルダへと出力することにより、使い勝手を向上させることができる。
【００８６】
請求項９記載の発明によれば、請求項１ないし６の何れか一記載の画像処理装置において、前記レイアウト画像出力手段は、前記レイアウト画像をファクシミリ画情報に変換し、予め規定されたＦＡＸ番号に対して送信することにより、使い勝手を向上させることができる。
【００８７】
請求項１０記載の発明によれば、請求項１ないし６の何れか一記載の画像処理装置において、前記レイアウト画像出力手段は、前記レイアウト画像を所定の記憶装置に蓄積することにより、使い勝手を向上させることができる。
【００８８】
請求項１１記載の発明によれば、請求項１ないし６の何れか一記載の画像処理装置において、前記レイアウト画像出力手段は、前記レイアウト画像を含む印刷指示を印刷装置に出力し、媒体に当該レイアウト画像を画像形成して出力することにより、使い勝手を向上させることができる。
【００８９】
請求項１２記載の発明のプログラムによれば、コンピュータにインストールされ、画像データ及び音声ファイルを含む画像ファイルを取得する画像ファイル取得機能と、この画像ファイル取得機能により取得した前記画像ファイルに含まれる前記音声ファイルに基づいて文字データを生成する音声認識機能と、この音声認識機能により生成された前記文字データと前記画像ファイル取得手段により取得した前記画像ファイルに含まれる前記画像データとをそれぞれ対応させてレイアウトしたレイアウト画像を生成するレイアウト画像生成機能と、このレイアウト画像生成機能により生成した前記レイアウト画像を出力するレイアウト画像出力機能と、をコンピュータに実行させることで、画像ファイルに含まれる音声ファイルに基づいて生成された文字データと当該画像ファイルに含まれる画像データとを対応させてレイアウトしたレイアウト画像を生成して出力することにより、画像データについてのコメントを撮影時に録音しておけば、画像データについてのコメントを別途入力または記入することなく当該画像データに対応させることができるので、例えば工事についての報告書作成等の作業効率を向上させることができる。
【００９０】
請求項１３記載の発明の記憶媒体によれば、コンピュータにインストールされ、画像データ及び音声ファイルを含む画像ファイルを取得する画像ファイル取得機能と、この画像ファイル取得機能により取得した前記画像ファイルに含まれる前記音声ファイルに基づいて文字データを生成する音声認識機能と、この音声認識機能により生成された前記文字データと前記画像ファイル取得手段により取得した前記画像ファイルに含まれる前記画像データとをそれぞれ対応させてレイアウトしたレイアウト画像を生成するレイアウト画像生成機能と、このレイアウト画像生成機能により生成した前記レイアウト画像を出力するレイアウト画像出力機能と、をコンピュータに実行させるプログラムを記憶したことで、画像ファイルに含まれる音声ファイルに基づいて生成された文字データと当該画像ファイルに含まれる画像データとを対応させてレイアウトしたレイアウト画像を生成して出力することにより、画像データについてのコメントを撮影時に録音しておけば、画像データについてのコメントを別途入力または記入することなく当該画像データに対応させることができるので、例えば工事についての報告書作成等の作業効率を向上させることができる。
【図面の簡単な説明】
【図１】本発明の実施の一形態のデジタルカラー複合機を含むシステム構成図である。
【図２】デジタルカラー複合機を概略的に示す外観斜視図である。
【図３】デジタルカラー複合機の各部の電気的接続を示すブロック図である。
【図４】操作パネルの構成を示す平面図である。
【図５】音声認識表示処理の際の操作パネルの表示装置に表示される画面の遷移を示した説明図である。
【図６】音声認識表示処理の流れを示すフローチャートである。
【図７】Ｅｘｉｆファイル形式を示す説明図である。
【図８】レイアウト画像の一例を示す平面図である。
【図９】従来のメモスペース付きのレイアウト画像を示す説明図である。
【符号の説明】
１        画像処理装置
２        通信ネットワーク
３，４    情報処理装置
７        印刷装置
９        媒体読取装置
３４      記憶装置
４３      インタフェース
Ｌ        レイアウト画像
Ｍ        記憶媒体
ｍ        文字データ
ｐ        画像データ
【図１】
2005006183.tif 000003
【図２】
2005006183.tif 000004
【図３】
2005006183.tif 000005
【図４】
2005006183.tif 000006
【図５】
2005006183.tif 000007
【図６】
2005006183.tif 000008
【図７】
2005006183.tif 000009
【図８】
2005006183.tif 000010
【図９】
2005006183.tif 000011